(57)【特許請求の範囲】
【請求項１】
上面側に載置面を有するカウンターの取付構造において、
前記カウンターには、上面側端部を基準とした所定位置に前記カウンターの位置決め部材が取り付けられ、当該位置決め部材を高さ基準として前記カウンターが取り付けられ、
前記位置決め部材は、その上部にカウンターの側端外面に固定される位置合わせ固定面を含み、この位置合わせ固定面は、前記カウンターの上面側端側の上端位置よりも低い位置に取り付けられることを特徴とするカウンターの取付構造。
【請求項２】
上面側に載置面を有するカウンターにおいて、
前記上面の側端部を基準とした所定位置に、取付時における高さ基準となる位置決め部材を設け、当該位置決め部材は、その上部にカウンターの側端外面に固定される位置合わせ固定面を含み、この位置合わせ固定面は、前記カウンターの上面側端側の上端位置よりも低い位置に取り付けられることを特徴とするカウンター。
【発明の詳細な説明】
【０００１】
【発明の属する技術分野】
本発明は、カウンターの取付構造及びカウンターに係り、更に詳しくは、カウンターの取付時における高さ方向の位置決め作業を簡単に行うことのできるカウンターの取付構造及びカウンターに関する。
【０００２】
【従来の技術】
従来、洗面器等を載せるカウンターが浴室ユニットの壁面に沿って取り付けられる構造が知られている。公知のカウンターは、略平坦面状をなす載置面を表面（上面）側に備え、裏面（下面）部分が壁面や床面等に固定された支持部材に直接支持されることにより取り付けられるようになっている。
【０００３】
【発明が解決しようとする課題】
しかしながら、前記カウンターを注型法若しくはハンドレイアップ法によって成形した場合、樹脂材料が硬化する際の収縮等によってカウンターの肉厚が不均一になり易いため、カウンターの裏面部分が取り付けの基準高さとなる前述の構造では、施工現場でカウンターを取り付ける際に、前記載置面の高さ位置を正確に出すことが困難になるという不都合がある。すなわち、上記成型方法では、カウンターの載置面が平坦に成形できても、裏面側にアンジュレーションを生じてカウンターの肉厚が不均一になるため、その裏面から載置面までの距離が各部位で一定にならず、施工現場でのカウンターの高さ方向の位置決め作業は、壁面や床面等に予め固定した支持部材にカウンターを仮置きし、その際の載置面の高さ位置と所望の高さ位置との差に応じた裏面の切削作業や、裏面と支持部材との間へのスペーサーの挿入作業等の高さ調整作業が必要になるなど、カウンターの高さ方向の位置決め作業を簡単に行うことができない。
【０００４】
【発明の目的】
本発明は、このような不都合に着目して案出されたものであり、その目的は、カウンターの取付時における高さ方向の位置決め作業を簡単に行うことができるカウンターの取付構造及びカウンターを提供することにある。
【０００５】
【課題を解決するための手段】
前記目的を達成するため、上面側に載置面を有するカウンターの取付構造において、
前記カウンターには、上面側端部を基準とした所定位置に前記カウンターの位置決め部材が取り付けられ、当該位置決め部材を高さ基準として前記カウンターが取り付けられ、
前記位置決め部材は、その上部にカウンターの側端外面に固定される位置合わせ固定面を含み、この位置合わせ固定面は、前記カウンターの上面側端側の上端位置よりも低い位置に取り付けられる、という構成を採っている。このような構成によれば、カウンターの製造上、その裏面側が平坦面状にならない場合であっても、位置決め部材が上面側の所定箇所を基準とした所定位置に取り付けられているため、当該位置決め部材を基準としてカウンターを取り付けると、裏面側の形状に関係なく載置面を正規の位置に確実にセットすることができ、裏面の切削作業やスペーサーの挿入作業等の高さ調整作業が不要となってカウンターの高さ方向の位置決め作業を簡単に行うことができる。更に、位置決め部材のカウンターへの取り付けを簡単に行うことができる他、カウンターの取り付け時に位置決め部材を目視し易くなり、カウンターの取付作業を一層容易に行うことができる。また、カウンターの側端側をカットすることによる当該カウンターの左右幅の調整にも簡単に対応することができる。また、カウンターが取り付けられた状態では、当該カウンターの載置面側に位置決め部材が表出し難くなるため、位置決め部材に湯水が掛かり難くなり、当該位置決め部材として種々の材質のものを利用することができる他、外観上の体裁を向上することもできる。
【０００７】
更に、本発明は、上面側に載置面を有するカウンターにおいて、
前記上面の側端部を基準とした所定位置に、取付時における高さ基準となる位置決め部材を設け、当該位置決め部材は、その上部にカウンターの側端外面に固定される位置合わせ固定面を含み、この位置合わせ固定面は、前記カウンターの上面側端側の上端位置よりも低い位置に取り付けられる、という構成を採っている。このような構成によっても、カウンターを取り付けたときに載置面を正規の位置に確実にセットすることができる。
【００１０】
なお、本明細書において、位置若しくは方向を示す用語は、特に明記しない限り、カウンターが浴室内等の所定位置に取り付けられた図１の状態を基準として用いられる。
【００１１】
【実施例】
以下、本発明の実施例について図面を参照しながら説明する。
【００１２】
図１には、本実施例に係るカウンターが取り付けられた浴室ユニットの一部概略斜視図が示されており、図２には、図１の要部分解斜視図が示されている。また、図３には、一部を断面した図１の拡大正面図が示され、図４には、図１のカウンター部分を左側下方から見た拡大斜視図が示されている。これらの図において、浴室ユニット１０は、壁面１１及び床面１２と、これら壁面１１及び床面１２によって囲まれる空間内に配置された浴槽１３と、当該浴槽１３に隣接する洗い場空間内に配置されて図示しない洗面器等が載るカウンター２０と、このカウンター２０の前端側下方に位置するとともに、当該カウンター２０の下部空間を隠蔽するカウンターエプロン２１とを備えて構成されている。なお、以下において、説明の便宜上、図１中奥行側に位置する壁面１１を奥行側壁面１１Ａ、同図中右側に位置する壁面１１を右側壁面１１Ｂと称することとする。
【００１３】
前記カウンター２０は、奥行側壁面１１Ａ及び右側壁面１１Ｂによって形成されるコーナー部分から浴槽１３に向かって奥行側壁面１１Ａに沿って設けられており、床面１２側に固定される脚部材２２（図２〜図４参照）によって下方から支持されるようになっている。このカウンター２０には、その左右両側端側に位置決め部材としての金属製の位置決めプレート２５，２６が固定され、位置決めプレート２５，２６間には、カウンター２０の裏面２４側で、前記脚部材２２が連結される金属製の連結部材２８が掛け渡されている。また、カウンター２０の裏面２４の後端側二箇所には、金属製の後側プレート２９，２９がねじや接着剤等で固定されている。
【００１４】
前記カウンター２０は、特に限定されるものではないが、注型法若しくはハンドレイアップ法によって成形されたものであって、図１に示されるように、後端２３Ａ側が奥行側壁面１１Ａに沿うように配置される一方、左側の側端２３Ｂが浴槽１３に連なるとともに、その側端２３Ｂよりも前後幅の短い右側の側端２３Ｃが右側壁面１１Ｂに連なるように配置される。このカウンター２０は、図５〜図９にも示されるように、略平坦となる載置面３１が上面側に形成されたベース部３３と、このベース部３３の前端縁側から垂下するスカート状部３４と、ベース部３３の後端縁側から起立する立ち上がり部３５とを備えて構成されている。なお、カウンター２０の左右両側の側端２３Ｂ，２３Ｃは、図１及び図２に示されるように、ベース部３３、スカート状部３４及び立ち上がり部３５の各端面が連なった側面視略クランク状に設けられ、これら側端２３Ｂ，２３Ｃの外面が前記位置決めプレート２５，２６の取付面３７となる。この取付面３７の上端位置３７Ａは、略全領域で載置面３１よりも上方に略一定距離離れた高さ位置に設けられている。
【００１５】
前記位置決めプレート２５，２６は、図５に示されるように、各側端２３Ｂ，２３Ｃの前後幅（同図中上下幅）の相違に対応して形状が相互に相違しており、カウンター２０の左側の側端２３Ｂに固定される位置決めプレート２５（以下、単に、「左側の位置決めプレート２５」と称する）は、右側の側端２３Ｃに固定される位置決めプレート２６（以下、単に、「右側の位置決めプレート２６」と称する）よりも前後幅が長寸となっている。
【００１６】
左側の位置決めプレート２５は、図４及び図１０（Ａ）に示されるように、取付面３７に沿って延びる長片状部３９と、この長片状部３９の上端側二箇所及び下端側一箇所に形成された切欠部４２，４３，４４からそれぞれカウンター２０の裏側に向かって略水平に延びる舌片部４６，４７，４８とからなる。
【００１７】
前記長片状部３９は、舌片部４６，４７，４８側に位置する面が前記取付面３７に接着剤を介して固定される位置合わせ固定面３９Ａとなっている。また、長片状部３９の上端縁３９Ｂは、位置決めプレート２５を取り付ける際の基準位置として利用されるようになっている。すなわち、位置決めプレート２５は、図４に示されるように、カウンター２０における上面側端部にあたる取付面３７の上端位置３７Ａよりも一定距離Ｄ分低い位置に上端縁３９Ｂが位置するように固定され、これによって、位置決めプレート２５が取付面３７の上端位置３７Ａを基準とした一定位置に取り付けられることになる。
【００１８】
長片状部３９の上側に設けられた切欠部４２，４３から延びる舌片部４６，４７は、特に限定されるものではないが、図１０（Ａ）に示されるように、相互に略同一高さ及び突出長さに設けられている一方、舌片部４６，４７の各前後方向幅は相互に相違する寸法に設定されている。これらの舌片部４６，４７には、ねじが挿通される複数の貫通穴５０がそれぞれ形成されており、舌片部４６は、図８に示されるように、カウンター２０の裏面２４との間にパテＰ等を介装してねじ止めされるようになっており、舌片部４７も同様にして裏面２４側にねじ止めされる。これによって、位置決めプレート２５のカウンター２０側からの不用意な脱落が確実に防止される。
【００１９】
この一方、下側の切欠部４４から延びる舌片部４８は、図８及び図１０（Ａ）に示されるように、舌片部４６，４７の間に設けられるとともに、当該舌片部４６，４７よりも下方となる高さ位置に設けられており、突出方向に延びるスロット穴５１が形成されている。このスロット穴５１は、後述するように、前記連結部材２８をボルトＢ及びナットＮで連結するために設けられたものである。
【００２０】
右側の位置決めプレート２６は、図９及び図１０（Ｂ）に示されるように、左側の位置決めプレート２５に対して切欠部４３及び舌片部４７が存在しない点を除き、実質的に略同一の構成となっており、当該同一構成部分には同一符号を付してここでは説明を省略する。
【００２１】
前記連結部材２８は、図２等に示されるように、側面視で略Ｌ字状となる形状に設けられており、カウンター２０の裏面２４に沿って左右方向に延びる上片５３と、この上片５３の後端側から垂下する垂下片５４とからなる。
【００２２】
前記上片５３は、図２及び図８に示されるように、位置決めプレート２５，２６の各下側の舌片部４８，４８間に掛け渡され、そのスロット穴５１，５１と連通する左右両端側の位置に貫通穴５６，５６が形成されている。これらスロット穴５１及び貫通穴５６，５６には、各舌片部４８，４８の上方からボルトＢ（図８参照）が挿入され、当該ボルトＢの下端側からナットＮをねじ込むことによって、連結部材２８と位置決めプレート２５，２６とが連結されるようになっている。なお、この状態では、図６及び図７に示されるように、上片５３の左右方向略中央部分が前記裏面２４との間に隙間を介して当該裏面２４にねじ止めされる。また、このねじ止め部分の左右両側には、前記脚部材２２を連結部材２８に連結するための貫通穴６１，６１が形成されている。ここで、脚部材２２は、特に限定されるものではないが、上下方向に延びる本体２２Ａと、この本体２２Ａの上下両端側から略水平方向に延びる片状の接合部２２Ｂとにより構成されている。当該接合部２２Ｂには、貫通穴６２が形成されており、当該貫通穴６２を連結部材２８側の貫通穴６１に連通するように、上片５３の下面側に接合部２２Ｂを重ね合わせ、各貫通穴６１，６２間に上方からボルトＢ（図４等参照）を挿通し、当該ボルトＢにナットＮを下方からねじ込むことにより、脚部材２２及び連結部材２８が連結されることになる。
【００２３】
また、図７に示されるように、前記垂下片５４の左右両端側に貫通穴６８が形成されている。この貫通穴６８は、各壁面１１Ａ，１１Ｂ等にねじ止めされるブラケット６７（図２等参照）を垂下片５４に連結するために設けられたものである。ここで、ブラケット６７は、特に限定されるものではないが、平面視略コ字状をなす形状に設けられ、奥行側壁面１１Ａに固定される後側固定面６７Ａと、この後側固定面６７Ａの端部から略直角に延びるサイド面６７Ｂと、このサイド面６７Ｂの先端側から後側固定面６７Ａに沿う方向に略直角に延びるカウンター固定面６７Ｃとからなる。これら各面６７Ａ〜６７Ｃには、ねじ止め用の貫通穴６９Ａ，６９Ｂ，６９Ｃがそれぞれ形成されている。ブラケット６７を連結部材２８に取り付ける際には、カウンター固定面６７Ｃの貫通穴６９Ｃが垂下片５４の貫通穴６８（図７参照）に連通するように、カウンター固定面６７Ｃを垂下片５４の後面に重ね合わせてねじ止めすることにより行われる。
【００２４】
前記後側プレート２９は、図２及び図３に示されるように、側面視で略Ｌ字状に設けられており、カウンター２０の裏面２４に接着剤およびねじ等で固定されるカウンター固定面７０と、このカウンター固定面７０の後端側から下方に延びるとともに、奥行側壁面１１Ａにねじ止めするための貫通穴７２が形成された壁面固定面７３とからなる。
【００２５】
次に、前記カウンター２０の施工手順について図２〜図４を用いて説明する。
【００２６】
先ず、位置決めプレート２５，２６、連結部材２８、及び後側プレート２９がカウンター２０に予め固定された状態のカウンター２０を施工現場に搬入する。そして、奥行側壁面１１Ａ等の所定位置に前記ブラケット６７，６７を固定する。そして、前述したように連結部材２８と脚部材２２とを連結し、その後、ブラケット６７，６７を連結部材２８の左右両端側に固定するとともに、脚部材２２の下端側の接合部２２Ｂを床面１２にボルトＢ等で固定する。最後に、カウンター２０の後側プレート２９を奥行側壁面１１Ａにねじ止めしてカウンター２０が浴室ユニット１０内に取り付けられる。ここで、図４に示されるように、前記取付面３７の上端位置３７Ａよりも前記長片状部３９の上端縁３９Ｂが下方に位置するため、図３に示されるように、カウンター２０の左右両端側と浴槽１３及び右側壁面１１Ｂとの間に、長片状部３９の厚み分の隙間が表面側に形成されるが、この隙間には、コーキング剤Ｋが充填されて位置決めプレート２５，２６を表面側から略完全に隠蔽できるようになっている。
【００２７】
従って、このような実施例によれば、取付面３７の上端位置３７Ａを基準として取り付けられた位置決めプレート２５，２６間に掛け渡された連結部材２８に、脚部材２２が固定されるため、当該脚部材２２を所望の長さにするだけで、カウンター２０の裏面２４の状態に拘わらず、カウンター２０を確実に所望の高さ位置にセットすることができるという効果を得る。すなわち、前記実施例では、位置決めプレート２５，２６を高さ基準としてカウンター２０が取り付けられることとなり、施工現場等でカウンター２０の高さ方向の位置決め作業を簡単に行うことができる。
【００２８】
なお、前記実施例では、位置決めプレート２５，２６、連結部材２８、及び後側プレート２９がカウンター２０に予め固定されたカウンター２０を施工現場で浴室ユニット１０内に取り付ける場合について説明したが、本発明はこれに限らず、位置決めプレート２５，２６、連結部材２８、及び後側プレート２９を施工現場で取り付け可能な構成してもよい。この場合には、カウンター２０の取り付け部位の間口寸法に合わせて当該カウンター２０の左右寸法を調整する場合が生じたときに、カウンター２０の側端２３Ｂ，２３Ｃをカットして、当該カット後の側端２３Ｂ，２３Ｃに位置決めプレート２５，２６を取り付けて対応することができ、この場合でも、位置決めプレート２５，２６を基準としたカウンター２０の高さ方向の位置決めを難なく行うことができる。
【００２９】
また、カウンター２０は、その側端２３Ｂ，２３Ｃ側に位置決めプレート２５，２６が取り付けられるようになっているが、後端２３Ａ側等に取り付け可能な形状及び構造としてもよい。
【００３０】
更に、前記実施例では、浴室ユニット１０内に取り付けられるカウンター２０の取り付け構造について図示説明したが、本発明はこれに限らず、同様の取り付け構造を他の衛生設備室等のカウンターに適用することもできる。
【００３１】
【発明の効果】
以上説明したように、本発明によれば、上面側の所定箇所を基準とした所定位置にカウンターの位置決め部材を取り付け、当該位置決め部材を高さ基準として前記カウンターを取り付けるようにしたから、位置決め部材を基準としてカウンターを取り付けることで、載置面を所定の位置に確実にセットすることができ、カウンターの高さ方向の位置決め作業を簡単に行うことが可能となる。
【００３２】
前記位置決め部材をカウンターの上面側端部を基準として取り付けたから、位置決め部材のカウンターへの取り付けを簡単に行うことができる他、カウンターの取り付け時に、位置決め部材を目視し易くなり、カウンターの取付作業を一層簡単に行うことができる。また、カウンターの側端側をカットすることによる当該カウンターの左右幅の調整にも難なく対応することができる。
【００３３】
更に、位置決め部材の上部に前記カウンターの側端外面に固定される位置合わせ固定面を含み、前記カウンターの上面側端部の上端位置よりも低い位置に前記位置合わせ固定面を取り付けたから、カウンターの取付状態では、当該カウンターの載置面側に位置決め部材が表出し難くなり、位置決め部材として種々の材質のものを適用することができる。
【図面の簡単な説明】
【図１】  本実施例に係るカウンターが適用された浴室ユニットの一部概略斜視図。
【図２】  図１の要部分解斜視図。
【図３】  一部を断面した図１の拡大正面図。
【図４】  図１においてカウンターを左側下方から見た概略斜視図。
【図５】  前記カウンターの概略平面図。
【図６】  カウンターの概略底面図。
【図７】  カウンターの概略背面図。
【図８】  図５の矢視Ａ−Ａ線拡大断面図。
【図９】  カウンターの右側部分を示す拡大斜視図。
【図１０】  （Ａ）は、左側の位置決めプレートの概略斜視図であり、（Ｂ）は、右側の位置決めプレートの概略斜視図である。
【符号の説明】
２０・・・カウンター、２５・・・位置決めプレート（位置決め部材）、２６・・・位置決めプレート（位置決め部材）、３１・・・載置面、３７・・・取付面、３７Ａ・・・上端位置、３９Ａ・・・位置合わせ固定面
【図１】
0003641610.tif 000002
【図２】
0003641610.tif 000003
【図３】
0003641610.tif 000004
【図４】
0003641610.tif 000005
【図５】
0003641610.tif 000006
【図６】
0003641610.tif 000007
【図７】
0003641610.tif 000008
【図８】
0003641610.tif 000009
【図９】
0003641610.tif 000010
【図１０】
0003641610.tif 000011